(57)【要約】【課題】本発明の課題は、遠隔地に備えられたトータルダンプを保管する保管庫にトータルダンプの入庫完了をもって、データの更新ログのバックアップ用記憶領域を解放する更新ログバックアップ方法を提供することを目的とする。【解決手段】上記課題は、運用データの更新ログをバックアップするための複数のボリューム毎に、該更新ログのバックアップの開始時間及び終了時間と、ボリュームの解放状態を示す解放フラグとを管理するボリューム管理データベースと、ネットワークを介してトータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手順とを実行することにより達成される。【選択図】図１
2007219756.tif 000002
【特許請求の範囲】
【請求項１】
運用データの更新ログをバックアップし、該運用データを記憶媒体に出力するトータルダンプの取得を行う更新ログバックアップ方法において、コンピュータが、
前記更新ログをバックアップするための複数のボリューム毎に、該更新ログのバックアップの開始時間及び終了時間と、ボリュームの解放状態を示す解放フラグとを管理するボリューム管理データベースと、
ネットワークを介して前記トータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手順と、
を実行することを特徴とする更新ログバックアップ方法。
【請求項２】
前記ボリューム管理データベースは、前記複数のボリューム毎に、前記更新ログのバックアップ先として使用されていることを示すバックアップ先フラグを更に管理し、
前記コンピュータが、
前記更新ログを蓄積するログ記憶領域の残量が所定値未満となると、前記ボリューム管理データベースの前記解放フラグが解放済みを示すボリュームの１つに対して未解放に変更し、かつ前記バックアップ先フラグをバックアップ先ボリュームとして設定済みとするバックアップ先設定手順と、
前記ボリューム管理データベースの前記バックアップ先フラグが設定済みに設定されているボリュームに対して、ネットワークを介して前記ログ記憶領域に蓄積された更新ログを転送することによって該更新ログをバックアップするバックアップ手順と
を実行することを特徴とする請求項１記載の更新ログバックアップ方法。
【請求項３】
前記更新ログのバックアップの開始時間と終了時間とを履歴情報として管理する履歴管理データベースを有し、
前記入庫通知受付手順は、
前記履歴管理データベースに管理されている履歴情報を用いて、１ボリュームにおける更新ログの開始時刻から終了時刻までの更新ログバックアップ平均時間を取得するバックアップ平均時間取得手順と、
前記ボリューム管理データベースの前記解放フラグが未解放を示すレコード数と前記更新ログバックアップ平均時間とを用いて、ログ記憶領域の残量が使い尽くされるまでの見込み時間を取得する見込時間取得手順と、
を有することを特徴とする請求項１又は２記載の更新ログバックアップ方法。
【請求項４】
前記トータルダンプを識別するダンプ識別情報に対応させて前記データ出力時間と、前記入庫通知によって示される入庫日時とを管理するダンプ管理データベースを更に有し、
前記入庫通知受付手順は、
前記入庫通知によって示されるダンプ識別情報に一致するレコードを前記ダンプ管理データベースから取得して、そのレコードからデータ出力時刻を抽出するデータ出力時刻抽出手順と、
前記データ出力時刻と前記見込時間とを用いて、前記トータルダンプの記憶媒体の入庫通知を示す画面を表示させる入庫通知表示手順と、
を有することを特徴とする請求項３記載の更新ログバックアップ方法。
【請求項５】
前記コンピュータが、
前記ダンプ管理データベースの最終レコードの前記入庫日時が未設定であるか否かを判断する入庫日時未設定判断手順と、
前記入庫日時未設定判断手順によって前記入庫日時が設定済みであると判断された場合、前記複数のボリュームの残量を使い尽くすまでの残量時間が前記トータルダンプの記憶媒体が入庫するまでの入庫所要平均時間に所定時間加えた時間より長いか否かを判断する第二入庫所要時間判断手順と、
前記第二入庫所要時間判断手順によって前記残量時間が前記入庫所要平均時間に所定時間加えた時間未満であると判断された場合、前記トータルダンプの取得を行うように促す画面を表示ユニットに表示させる第二表示手順とを実行することを特徴とする請求項４記載の更新ログバックアップ方法。
【発明の詳細な説明】
【技術分野】
【０００１】
本発明は、遠隔地に備えられたトータルダンプを保管する保管庫にトータルダンプの入庫完了をもって、データの更新ログのバックアップ用記憶領域を解放する更新ログバックアップ方法に関する。
【背景技術】
【０００２】
情報処理システムにおいては、自然災害やシステム障害などによって重要なデータの紛失等が発生しないように、データの運用地とは離れた保管庫に、全データを格納した（以下、トータルダンプという）磁気テープを輸送するようになってきている。
【０００３】
また、このようなトータルダンプの運用の他、更新されたデータのみを格納しておき、トータルダンプと併用して災害時等に備えることなどが行われている。
【０００４】
このように種々の手法によってデータ保護を行う場合、データ量に応じたデータ記憶用の媒体が使用され、その媒体の種類及び費用も多岐にわたり、トータルダンプの運用には専門的知識を必要とするようになってきた。
【０００５】
そのため、データをバックアップするためのバックアップボックスにバックアップを実行するプログラムと設定情報とを含むようにして、ユーザの手間を省くと共に、バックアップデータとバックアップセンタとの間の様々な流通形態を提供することが提案されている（例えば、特許文献１）。
【特許文献１】特開２００４−１３３５２９号公報
【発明の開示】
【発明が解決しようとする課題】
【０００６】
しかしながら、従来のバックアップデータの運用方法では、トータルダンプが磁気テープに格納された際に従前のバックアップデータは不要とされ、バックアップデータが格納されていた格納領域が解放（上書き可能な領域、空き領域等としてバックアップデータ用に再利用）されていた。
【０００７】
地震等の災害に対するデータ保護に求められる要求は高まり、トータルダンプした磁気テープをデータが運用されている場所に保管するのではなく、遠隔地の保管庫へと輸送して保管するようになってきている。
【０００８】
そのため、トータルダンプの磁気テープへの格納完了をもってバックアップデータを削除する運用では、例えば、輸送の途中で災害遭遇しトータルダンプの磁気テープが破損してしまった場合、データを復元することができないといった問題があった。
【０００９】
よって、本発明の目的は、遠隔地に備えられたトータルダンプを保管する保管庫にトータルダンプの入庫完了をもって、データの更新ログのバックアップ用記憶領域を解放する更新ログバックアップ方法を提供することである。
【課題を解決するための手段】
【００１０】
上記課題を解決するため、本発明は、運用データの更新ログをバックアップし、該運用データを記憶媒体に出力するトータルダンプの取得を行う更新ログバックアップ方法において、コンピュータが、前記更新ログをバックアップするための複数のボリューム毎に、該更新ログのバックアップの開始時間及び終了時間と、ボリュームの解放状態を示す解放フラグとを管理するボリューム管理データベースと、ネットワークを介して前記トータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手順と、を実行するように構成される。
【００１１】
このような更新ログバックアップ方法では、遠隔地に備えられたトータルダンプを保管する保管庫にトータルダンプの入庫完了をもって、データの更新ログのバックアップ用記憶領域を解放することができる。
【００１２】
上記課題を解決するための手段として、本発明は、上記更新ログバックアップ方法での処理を行う更新ログバックアップ装置、その更新ログバックアップ方法での処理をコンピュータに行わせるプログラム、また、そのプログラムを記憶した記憶媒体とすることもできる。
【発明の効果】
【００１３】
本願発明は、遠隔地に備えられたデータの更新ログのバックアップ用記憶領域が満杯になる以前にデータ全体を所定の記憶媒体に格納する更新ログバックアップ方法を提供することができる。
【発明を実施するための最良の形態】
【００１４】
以下、本発明の実施の形態を図面に基づいて説明する。
【００１５】
図１は、本発明の一実施例に係るバックアップシステムのネットワーク構成及び機能構成の例を示す図である。図１に示すバックアップシステム１０００において、運用されているデータをバックアップする更新ログバックアップ装置１００と、更新ログバックアップ装置１００から受信した更新ログをボリューム単位で記憶するボリューム記憶領域２００と、トータルダンプが格納されている記憶媒体（例えば、磁気テープ）を保管するトータルダンプ保管システム３００とがネットワーク２を介して接続されている。
【００１６】
更新ログバックアップ装置１００は、運用されているデータの更新ログを蓄積して記録しつつ、更新ログが所定容量を超えた場合にその時点でのデータ全体をバックアップするトータルダンプ処理を実行する。
【００１７】
ボリューム記憶領域２００は、複数のボリューム単位の記憶領域を備え、更新ログバックアップ装置１００から更新ログを受信すると次のボリュームへ記憶し、全てのボリュームを使い終わると、最初のボリュームへと記憶する。ボリューム単位の記憶領域とは、例えば、ハードウェアディスクであって、ボリューム記憶領域２００は、複数のハードウェアディスクで構成され、各々バックアップ先ボリュームＢ１、Ｂ２、・・・、Ｂ９のように識別される。本実施例では、各バックアップ先ボリュームＢ１、Ｂ２、・・・、Ｂ９のデータ容量は、ログファイルボリューム１０７（後述）と同等とする。
【００１８】
トータルダンプ保管システム３００は、更新ログバックアップ装置１００から輸送されてきたトータルダンプを保管して、トータルダンプが入庫されたことを更新ログバックアップ装置１００へと通知する。
【００１９】
更新ログバックアップ装置１００の機能構成について説明する。更新ログバックアップ装置１００は、ユーザによって利用される運用プログラム１０３と、運用プログラム１０３がアクセスする運用データベース（ＤＢ）１０５と、運用ＤＢ１０５の更新ログを蓄積するログファイルボリューム（ＬＶ）１０７とを有する運用管理部１０１と、データベース操作処理部１２１と、バックアップ処理部１２２と、トータルダンプ取得処理部１２３と、トータルダンプ入庫通知受付処理部１３１と、解放案内処理部１３２と、バックアップ先残量管理処理部１３３と、促し処理部１３４と、バックアップ先設定処理部１３５とを有する。
【００２０】
更に、更新ログバックアップ装置１００は、バックアップボリューム管理ＤＢ１１１と、バックアップ履歴管理ＤＢ１１２と、トータルダンプ管理ＤＢ１１３とを有する。
【００２１】
データベース操作処理部１２１は、更新ログバックアップ装置１００の常駐プロセスであって、データベースへの操作による更新ログの保存処理を行う。
【００２２】
バックアップ処理部１２２は、更新ログバックアップ装置１００の常駐プロセスであって、バックアップボリューム管理ＤＢ１１１を参照してバックアップ先ボリュームを特定し、ログファイルボリューム１０７に格納された更新ログをボリューム記憶領域２００のバックアップ先ボリュームへと転送する。
【００２３】
トータルダンプ取得処理部１２３は、更新ログバックアップ装置１００の常駐プロセスであって、ダンプドライバ６０を制御して運用ＤＢ１０５のトータルダンプを磁気テープなどのトータルダンプ記憶媒体６１に出力し、出力したトータルダンプを識別するためのトータルダンプＩＤを含む情報をタグ書込装置６２によってＩＣタグ６３へと書き込む。トータルダンプＩＤは、トータルダンプ管理ＤＢ１１３に追加される。
【００２４】
その後、トータルダンプ記憶媒体６１は、トータルダンプ保管システム３００へと輸送される。
【００２５】
トータルダンプ入庫通知受付処理部１３１は、トータルダンプ保管システム３００から受信した入庫通知に基づいて、トータルダンプ管理ＤＢ１１３に対して入庫完了に係る処理を行い、バックアップボリューム管理ＤＢ１１１からバックアップ先ボリュームを解放する。そして、トータルダンプ入庫通知受付処理部１３１は、解放案内処理部１３２による解放案内処理を実行する。
【００２６】
解放案内処理部１３２は、ボリューム記憶領域２００における残りのバックアップ容量が占有されるまでの見込み時間によって、ボリューム記憶領域２００の状態を時間で示す解放案内画面を表示する。
【００２７】
バックアップ先残量管理処理部１３３は、トータルダンプが出力されてからトータルダンプ管理システム３００のトータルダンプ保管庫３０１に入庫されるまでの入庫所要平均時間と、ボリューム記憶領域２００における残りのバックアップ容量が占有されるまでの残量時間とを算出して、促し処理部１３４による促し処理を実行する。
【００２８】
促し処理部１３４は、トータルダンプ記録媒体６１がトータルダンプ保管庫３０１に未だ入庫されていない場合であって、残量時間が入庫所要平均時間以下である場合にユーザに搬送状況を確認するように促す。また、促し処理部１３４は、トータルダンプ記録媒体６１がトータルダンプ保管庫３０１に入庫完了している場合であって、残量時間が入庫所要平均時間以下である場合にユーザにトータルダンプを取得するように促す。
【００２９】
バックアップ先設定処理部１３５は、バックアップボリューム管理ＤＢ１１１からバックアップ先ボリュームに係るレコードのデータ先頭時刻とデータ終了時刻とをバックアップ履歴管理ＤＢ１１２へと追加し、次のバックアップ先ボリュームを決定する処理を行う。
【００３０】
トータルダンプ保管システム３００の機能構成について説明する。トータルダンプ保管システム３００では、トータルダンプ保管庫３０１に搬入されたトータルダンプ記憶媒体６１のＩＣタグ６３に記憶されている保管情報を読み取るタグ読取装置３０５と、タグ読取装置３０５が読み取った保管情報を入庫通知として更新ログバックアップ装置１００へとネットワーク２を介して送信するトータルダンプ入庫処理部３１０とを有する。
【００３１】
図２は、更新ログバックアップ装置のハードウェア構成を示す図である。図２において、更新ログバックアップ装置１００は、コンピュータによって制御される装置であって、ＣＰＵ（Central  Processing  Unit）５１と、メモリユニット５２と、表示ユニット５３と、出力ユニット５４と、入力ユニット５５と、通信ユニット５６と、記憶装置５７と、ドライバ５８と、ダンプドライバ６０と、タグ書込装置６２とで構成され、システムバスＢに接続される。
【００３２】
ＣＰＵ５１は、メモリユニット５２に格納されたプログラムに従って更新ログバックアップ装置１００を制御する。メモリユニット５２は、ＲＡＭ（Random  Access  Memory）及びＲＯＭ（Read-Only  Memory）等にて構成され、ＣＰＵ５１にて実行されるプログラム、ＣＰＵ５１での処理に必要なデータ、ＣＰＵ５１での処理にて得られたデータ等を格納する。また、メモリユニット５２の一部の領域が、ＣＰＵ５１での処理に利用されるワークエリアとして割り付けられている。
【００３３】
表示ユニット５３は、ＣＰＵ５１の制御のもとに必要な各種情報を表示する。出力ユニット５４は、プリンタ等を有し、ユーザからの指示に応じて各種情報を出力するために用いられる。入力ユニット５５は、マウス、キーボード等を有し、ユーザが更新ログバックアップ装置１００が処理を行なうための必要な各種情報を入力するために用いられる。
【００３４】
通信ユニット５６は、更新ログバックアップ装置１００が例えばインターネット、ＬＡＮ（Local  Area  Network）等を介してボリューム記憶領域２００と接続する場合に、ボリューム記憶領域２００との間の通信制御をするための装置である。
【００３５】
記憶装置５７は、例えば、ハードディスクユニットにて構成され、各種処理を実行するプログラム等のデータを格納する
更新ログバックアップ装置１００よって行われる処理を実現するプログラムは、例えば、ＣＤ−ＲＯＭ（Compact  Disc  Read-Only  Memory）等の記憶媒体５９によって更新ログバックアップ装置１００に提供される。即ち、プログラムが保存された記憶媒体５９がドライバ５８にセットされると、ドライバ５８が記憶媒体５９からプログラムを読み出し、その読み出されたプログラムがシステムバスＢを介して記憶装置５７にインストールされる。そして、プログラムが起動されると、記憶装置５７にインストールされたプログラムに従ってＣＰＵ５１がその処理を開始する。尚、プログラムを格納する媒体としてＣＤ−ＲＯＭに限定するものではなく、コンピュータが読み取り可能な媒体であればよい。本発明に係る処理を実現するプログラムは、通信ユニット５６によってネットワークを介してダウンロードし、記憶装置５７にインストールするようにしても良い。
【００３６】
ダンプドライバ６０は、例えば磁気テープのようなダンプ用記憶媒体６１へのデータ記録を行うためのドライバである。
【００３７】
タグ書込装置６２は、ＩＣタグ６３へ保管情報を書き込むための装置である。ＩＣタグ６３は、タグ書込装置６２から送出される所定周波数を受信して起電力を発生することによって動作可能な、例えばＲＦＩＤ(Radio  Frequency-IDentification：電波方式認識)を含んだタグである。
【００３８】
同様に、トータルダンプ保管システム３００に備えられたタグ読取装置３０５も、所定周波数をＩＣタグ６３へ送出しつつ、ＩＣタグ６３に格納されている保管情報を読み取る装置である。
【００３９】
図３は、更新ログバックアップ装置にて常駐させる処理を起動するメインフローを説明するためのフローチャート図である。図３において、ＣＰＵ５１は、バックアップ処理を起動し（ステップＳ１）、トータルダンプ取得処理を起動し（ステップＳ２）、そして、データベース操作処理を起動する（ステップＳ３）。このメインフローによって、データベース操作処理部１２１、バックアップ処理部１２２、及び、トータルダンプ取得処理部１２３に相当するプログラムが、記憶装置５７から読み込まれて常駐プロセスとしてメモリユニット５２の記憶領域に構成される。
【００４０】
図４は、更新ログバックアップ装置でのデータベース操作処理を説明するためのフローチャート図である。図４において、データベース操作処理部１２１は、ＤＢ操作入力待ち処理を行い（ステップＳ１１）、ＳＱＬ等によるＤＢ操作によりＤＢ更新ログの発生を検知すると（ステップＳ１２）、更新ログをログファイルボリューム１０７へ書き込む（ステップＳ１３）。
【００４１】
そして、データベース操作処理部１２１は、バックアップ先設定処理を実行する（ステップＳ１４）。この実行によって、バックアップ先設定処理部１３５に相当するプログラムが記憶装置５７からメモリユニット５２の記憶領域に読み込まれプロセスとして動作する。バックアップ先設定処理が終了すると、ステップＳ１１へ戻り、上記同様の処理を繰り返す。
【００４２】
次に、図４のステップＳ１４の実行によって、バックアップ先設定処理部１３５にて行われるバックアップ先設定処理について説明する。図５は、更新ログバックアップ装置でのバックアップ先設定処理を説明するためのフローチャート図である。
【００４３】
図５において、バックアップ先設定処理部１３５は、ログファイルボリューム１０７の残量を取得して（ステップＳ１４１）、その残量が所定量以上であるか否かを判断する（ステップＳ１４２）。残量が所定量以上である場合、バックアップ先設定処理を終了する。
【００４４】
一方、残量が所定量未満である場合、バックアップ先設定処理部１３５は、ログファイルボリューム１０７へのログの書き込み開始位置をログファイルボリューム１０７の先頭にリセットする（ステップＳ１４３）。
【００４５】
バックアップ先設定処理部１３５は、バックアップボリューム管理ＤＢ１１１のバックアップ先フラグがＯＮのレコードをＯＦＦに変更し、そのレコードのデータ先頭時刻とデータ終了時刻とをバックアップ履歴管理ＤＢ１１２に追加する（ステップＳ１４４）。
【００４６】
そして、バックアップ先設定処理部１３５は、バックアップボリューム管理ＤＢ１１１のバックアップ先フラグがＯＦＦかつ解放フラグがＯＫである１レコードについて、バックアップ先フラグをＯＮに変更し、解放フラグをＮＧに変更し、データ先頭時刻とデータ終了時刻とを空白に変更する（ステップＳ１４５）。その後、バックアップ先設定処理部１３５は、バックアップ先設定処理を終了する。
【００４７】
上述したバックアップ先設定処理は、ログがログファイルボリューム１０７へ書き込まれる毎に繰り返し実行される。
【００４８】
次に、バックアップ処理部１２２によって行われるバックアップ処理について説明する。図６は、更新ログバックアップ装置でのバックアップ処理を説明するためのフローチャート図である。
【００４９】
図６において、バックアップ処理部１２２は、図４に示すデータベース操作処理部１２１によるステップＳ１３における更新ログの書き込みを検知すると（ステップＳ２１）、バックアップボリューム管理ＤＢ１１１を読み込み、バックアップ先フラグがＯＮのレコードを取得し、バックアップ先ボリュームＩＤの示すバックアップ先ボリュームへログファイルボリューム１０７の更新ログを書き込む（ステップＳ２２）。更新ログがボリューム記憶領域２００のバックアップ先ボリュームＩＤの示すバックアップ先ボリューム（例えば、ボリュームＢ１）へとネットワーク２を介して転送される。
【００５０】
バックアップ処理部１２２は、ステップＳ２２で取得したレコードのデータ先頭時刻が空白か否かを判断する（ステップＳ２３）。データ先頭時刻が空白である場合、バックアップ先ボリューム（例えば、ボリュームＢ１）に対して最初の更新ログを転送した時刻としてレコードのデータ先頭時刻に書き込み（ステップＳ２４）、更に、更新ログの時刻をレコードのデータ終了時刻に書き込み（ステップＳ２５）、そしてステップＳ２１へ戻り、上記同様の処理を繰り返す。
【００５１】
一方、データ先頭時刻が空白でない場合、バックアップ処理部１２２は、更新ログの時刻をレコードのデータ終了時刻に書き込み（ステップＳ２５）、そしてステップＳ２１へ戻り、上記同様の処理を繰り返す。
【００５２】
次に、トータルダンプ処理部１２３によって行われるトータルダンプ取得処理について説明する。図７は、更新ログバックアップ装置でのトータルダンプ取得処理を説明するためのフローチャート図である。
【００５３】
図７において、トータルダンプ処理部１２３は、トータルダンプ指示待ち処理を行い（ステップＳ３１）、トータルダンプ指示受信に応じて運用ＤＢ１０５を読み込んで、ダンプドライバ６０に対してトータルダンプ記憶媒体６１への書き込みを指示する（ステップＳ３２）。トータルダンプ指示は、例えば、ユーザの更新ログバックアップ装置１００への入力によってなされる。
【００５４】
そして、トータルダンプ処理部１２３は、トータルダンプ管理ＤＢ１１３に、トータルダンプを識別するためのトータルダンプＩＤを新規に追加設定し、そのレコードのデータ出力時刻に現在時刻を設定する（ステップＳ３３）。
【００５５】
トータルダンプ処理部１２３は、タグ書込装置６２に対して、追加設定したトータルダンプＩＤをＩＣタグ６３に書き込む指示をして（ステップＳ３４）、トータルダンプ取得処理を終了する。
【００５６】
次に、トータルダンプ記憶媒体６１がトータルダンプ保管システム３００のトータルダンプ保管庫３０１に入庫された際に、トータルダンプ入庫処理部３１０によって行われるトータルダンプ入庫処理について説明する。図８は、トータルダンプ保管システムでのトータルダンプ入庫処理を説明するためのフローチャート図である。
【００５７】
図８において、トータルダンプ入庫処理部３１０は、タグ読取装置３０５がＩＣタグ６３から読み取った保管情報を受信すると（ステップＳ４１）、読み取った保管情報を入庫通知として、更新ログバックアップ装置１００にネットワーク２を介して送信する（ステップＳ４２）。
【００５８】
次に、更新ログバックアップ装置１００にてトータルダンプ保管システム３００のトータルダンプ入庫処理部３１０からネットワーク２を介して入庫通知を受信した際に、トータルダンプ入庫通知受付処理部１３１によって行われるトータルダンプ入庫通知受付処理について説明する。図９は、更新ログバックアップ装置でのトータルダンプ入庫通知受付処理を説明するためのフローチャート図である。
【００５９】
図９において、トータルダンプ入庫通知受付処理部１３１は、入庫通知から入庫したトータルダンプＩＤを抽出する（ステップＳ５１）。そして、トータルダンプ入庫通知受付処理部１３１は、トータルダンプ管理ＤＢ１１３から抽出したトータルダンプＩＤに一致するレコードを取得して、そのレコードのデータ出力時刻を読み込む（ステップＳ５２）。
【００６０】
次に、トータルダンプ入庫通知受付処理部１３１は、現在日時を取得して、ステップＳ５２で取得したレコードの入庫日時に設定する（ステップＳ５３）。そして、トータルダンプ入庫通知受付処理部１３１は、バックアップボリューム管理ＤＢ１１１を読み込み、ステップＳ５２で取得したデータ出力時刻より古いデータ終了時刻を示すレコードの解放フラグにＯＫを設定する（ステップＳ５４）。
【００６１】
その後、トータルダンプ入庫通知受付処理部１３１は、解放案内処理を実行する（ステップＳ５５）。この実行によって、解放案内処理部１３２に相当するプログラムが記憶装置５７からメモリユニット５２の記憶領域に読み込まれプロセスとして動作する。解放案内処理が終了すると、トータルダンプ入庫通知受付処理は終了する。
【００６２】
次に、更新ログバックアップ装置１００の解放案内処理部１３２によって行われる解放案内処理について説明する。図１０は、更新ログバックアップ装置での解放案内処理を説明するためのフローチャート図である。
【００６３】
図１０において、解放案内処理部１３２は、トータルダンプ管理ＤＢ１１３から入庫通知から抽出したトータルダンプＩＤに一致するレコードのデータ出力時刻を抽出する（ステップＳ６１）。
【００６４】
そして、解放案内処理部１３２は、バックアップ履歴管理ＤＢの全レコードを読み取り、ボリュームあたりの更新ログバックアップ平均時間を求める（ステップＳ６２）。更新ログバックアップ平均時間は、例えば、（（Σ（［該当データ終了時刻］−［該当データ先頭時刻］））／[レコード数]）によって算出される。
【００６５】
また、解放案内処理部１３２は、バックアップボリューム管理ＤＢにおいて解放フラグがＯＫのレコード数をカウントし、ボリューム記憶領域２００の残り容量が使い尽くされるまでの見込み時間を示すバックアップ容量残見込時間を求める（ステップＳ６３）。バックアップ容量残見込時間は、例えば、（  [ボリュームあたりの更新ログバックアップ平均時間]×[レコード数]  ）によって算出される。
【００６６】
その後、解放案内処理部１３２は、ステップＳ６１で抽出したデータ出力時刻と、ステップＳ６３で算出されたバックアップ容量残見込時間とを用いて、図１６に示されるようなトータルダンプが入庫したことを通知する画面を表示ユニット５３に表示させて（ステップＳ６４）、解放案内処理を終了する。
【００６７】
次に、更新ログバックアップ装置１００のバックアップ先残量管理処理部１３３にて行われるバックアップ先残量管理処理について説明する。図１１は、更新ログバックアップ装置でのバックアップ先残量管理処理を説明するためのフローチャート図である。
【００６８】
図１１において、バックアップ先残量管理処理部１３３は、トータルダンプ管理ＤＢ１１３の全レコードを読み取り、トータルダンプ取得（運用ＤＢ１０５の全データのトータルダンプ記憶媒体６１への出力）から入庫までに要する入庫所要平均時間を求める（ステップＳ７１）。入庫所要平均時間は、例えば、（Σ（［入庫日時］−［データ出力時刻］））／（レコード数）によって算出される。
【００６９】
次に、バックアップ先残量管理処理部１３３は、バックアップボリューム管理ＤＢ１１２を読み取り、解放フラグがＯＫであるレコード数をカウントして解放可能ボリューム数とする（ステップＳ７２）。
【００７０】
また、バックアップ先残量管理処理部１３３は、バックアップ履歴管理ＤＢ１１２の全レコードを読み取り、ボリュームあたりの更新ログバックアップ平均時間を求める（ステップＳ７３）。更新ログバックアップ平均時間は、例えば、（（Σ（［データ終了時刻］−［データ先頭時刻］））／（レコード数））によって算出される。
【００７１】
そして、バックアップ先残量管理処理部１３３は、ステップＳ７２で求めた解放可能ボリューム数と、ステップＳ７３で求めたボリュームあたりの更新ログバックアップ平均時間とを用いて、ボリューム記憶領域２００の残量時間を求める（ステップＳ７４）。更新ログバックアップ平均時間は、例えば、（（解放可能ボリューム数）×（ボリュームあたりの更新ログバックアップ平均時間））によって算出される。
【００７２】
その後、バックアップ先残量管理処理部１３３は、促し処理を実行する（ステップＳ７５）。この実行によって、促し処理部１３４に相当するプログラムが記憶装置５７からメモリユニット５２の記憶領域に読み込まれプロセスとして動作する。促し処理が終了すると、トータルダンプ入庫通知受付処理は終了する。
【００７３】
次に、更新ログバックアップ装置１００の促し処理部１３４によって行われる。促し処理について説明する。図１２は、更新ログバックアップ装置での促し処理を説明するためのフローチャート図である。
【００７４】
図１２において、促し処理部１３４は、トータルダンプ管理ＤＢ１１３の最終レコードを読み取り（ステップＳ８１）、その最終レコードの入庫日時が未設定か否かを判断する（ステップＳ８２）。
【００７５】
ステップＳ８２にて未設定と判断した場合、促し処理部１３４は、更に、図１１のステップＳ７４で算出したボリューム記憶領域の残量時間が図１１のステップＳ７１で算出した入庫所要平均時間より時間が長いか否かを判断する（ステップＳ８３）。残量時間が入庫所要平均時間より長い場合、促し処理部１３４による促し処理は終了する。
【００７６】
ステップＳ８３にて残量時間が入庫所要平均時間と等しいか短いと判断した場合、促し処理部１３４は、輸送中のトータルダンプ記憶媒体６１の搬送スピードをアップしてトータルダンプ保管庫３０１への入庫を促すための図１７に示すような搬送スピードアップ促し画面を表示ユニット５３に表示させ（ステップＳ８４）、促し処理を終了する。
【００７７】
一方、ステップＳ８２にて設定済みと判断した場合、促し処理部１３４は、残量時間が入庫所要平均時間＋αより時間が長いか否かを判断する（ステップＳ８５）。＋αとは、余裕を持たせた所定時間を加えておくことを示している。残量時間が入庫所要平均時間＋αより長い場合、促し処理部１３４による促し処理は終了する。
【００７８】
ステップＳ８５にて残量時間が入庫所要平均時間＋αと等しいか短いと判断した場合、促し処理部１３４は、トータルダンプを取得することを促すための図１８に示すようなトータルダンプ取得画面を表示ユニット５３に表示させ（ステップＳ８６）、促し処理を終了する。
【００７９】
更新ログバックアップ装置１００のデータベース１１１、１１２、及び１１３について図１３、図１４、及び図１５で説明する。
【００８０】
図１３は、バックアップボリューム管理ＤＢのデータ構成例を示す図である。図１３において、バックアップボリューム管理ＤＢ１１１は、バックアップ先ボリュームＩＤ、データ先頭時刻、データ終了時刻、解放フラグ、バックアップ先フラグなどの項目を有する。
【００８１】
バックアップ先ボリュームＩＤは、ボリューム記憶領域２００のボリュームを識別するための識別情報である。
【００８２】
データ先頭時刻は、バックアップ先ボリュームＩＤによって識別されるボリュームへ最初に書き込まれた更新ログの時刻を示し、図６のステップＳ２４にてバックアップ処理部１２２によって設定される。データ終了時刻は、バックアップ先ボリュームＩＤによって識別されるボリュームへ更新ログが書き込まれる度に時刻が更新され、図６のステップＳ２５にてバックアップ処理部１２２によって設定される。
【００８３】
解放フラグは、トータルダンプ記憶媒体６１のトータルダンプ保管庫３０１への入庫完了によって解放可能となった場合に「ＯＫ」が設定され、図９のステップＳ５４にてトータルダンプ入庫通知受付処理部１３１によって設定される。また、解放フラグは、更新ログの書き込み先としてバックアップ先ボリュームＩＤによって識別されるボリュームがバックアップ先ボリュームに設定された場合に「ＮＧ」が設定され、図５のステップＳ１４５にてバックアップ先設定処理部１３５によって設定される。
【００８４】
バックアップ先フラグは、ログファイルボリューム１０７の残量が少なくなってきた場合に、更新ログの書き込み先としてバックアップ先ボリュームＩＤによって識別されるボリュームがバックアップ先ボリュームに設定されると「ＯＮ」が設定され、図５のステップＳ１４５にてバックアップ先設定処理部１３５によって設定される。また、バックアップ先フラグは、ログファイルボリューム１０７の残量が少なくなってきた場合に、前回バックアップ先ボリュームとして設定されていた「ＯＮ」のフラグが「ＯＦＦ」に設定され、図５のステップＳ１４４にてバックアップ先設定処理部１３５によって設定される。
【００８５】
図１３に示すバックアップボリューム管理ＤＢ１１１のデータ構成例において、バックアップ先ボリュームＩＤ「Ｂ８」は、解放フラグが「ＮＧ」かつバックアップ先フラグが「ＯＦＦ」であるので、バックアップ先ボリュームとして設定されている状態である。
【００８６】
また、バックアップ先ボリュームＩＤ「Ｂ１」、「Ｂ２」、「Ｂ３」、「Ｂ４」、「Ｂ５」、及び「Ｂ６」は、解放フラグが「ＯＫ」かつバックアップ先フラグが「ＯＦＦ」であるので、次にログファイルボリューム１０７の残量が少なくなってきた場合にバックアップ先ボリュームとして設定可能な状態である。
【００８７】
更に、バックアップ先ボリュームＩＤ「Ｂ７」及び「Ｂ９」は、解放フラグが「ＮＧ」かつバックアップ先フラグが「ＯＦＦ」であるので、それぞれに対応するトータルダンプ記憶媒体６１がトータルダンプ保管庫３０１に入庫していないためにバックアップ先ボリュームとして利用できない状態である。
【００８８】
このように解放フラグとバックアップ先フラグとを管理することによって、トータルダンプ記憶媒体６１がトータルダンプ保管庫３０１へ入庫する前にボリュームの書き換えが発生しないようにすることができる。
【００８９】
図１４は、バックアップ履歴管理ＤＢのデータ構成例を示す図である。図１４において、バックアップ履歴管理ＤＢ１１２は、データ先頭時刻、データ終了時刻などの項目を有し、ボリューム記憶領域２００のボリューム単位で記録される。
【００９０】
データ先頭時刻及びデータ終了時刻は、図５のステップＳ１４４にてバックアップ先設定処理部１３５によって設定される。
【００９１】
図１５は、トータルダンプ管理ＤＢのデータ構成例を示す図である。図１５において、トータルダンプ管理ＤＢ１１３は、データ出力時刻、入庫日時などの項目を有する。
【００９２】
データ出力時刻は、ダンプドライバ６０がトータルダンプ記憶媒体６１へと運用ＤＢ１０５の全データを書き込んだ時刻を示し、図７のステップＳ３３にてトータルダンプ取得処理部１２３によって設定される。
【００９３】
入庫日時は、トータルダンプ記憶媒体６１がトータルダンプ保管庫３０１へ入庫した日時を示し、図９のステップＳ５３にてトータルダンプ入庫通知受付処理部１３１によって設定される。
【００９４】
図１５に示すトータルダンプ管理ＤＢ１１３のデータ構成例において、トータルダンプＩＤ「ＴＤ０００１」から「ＴＤ０００８」までは、入庫日時が設定されているため、入庫が完了している状態である。ここで、「ＴＤ０００１」から「ＴＤ０００６」のデータ出力時刻及び入庫日時にはデータが設定されているものとする。
【００９５】
トータルダンプＩＤ「ＴＤ０００９」は、データ出力時刻のみが設定され、入庫日時は空白で設定されていないため、未だトータルダンプ保管庫３０１へ入庫されていない状態である。
【００９６】
次に、更新ログバックアップ装置１００にて表示される画面例を図１６、図１７、及び図１８で説明する。
【００９７】
図１６は、図１０のステップＳ６４で表示されるトータルダンプ入庫通知画面の例を示す図である。図１６において、トータルダンプ入庫通知画面４００は、トータルダンプが入庫したことを通知するメッセージ４０２と、バックアップ先残量見込み時間を通知するメッセージ４０４と、この画面を閉じるためのボタン４０６とを有する。
【００９８】
メッセージ４０２には、図１０のステップＳ６１で取得したデータ出力時刻を用いて、例えば、「20051107064012  に取得したトータルダンプが入庫しました。」のようなメッセージが表示される。
【００９９】
メッセージ４０４には、図１０のステップＳ６２及びＳ６３で算出したバックアップ容量残見込時間を用いて、例えば、「バックアップ先残量見込時間は、約  ９５  H  ４０  M  となりました。」のようなメッセージが表示される。
【０１００】
図１７は、図１２のステップＳ８４で表示される搬送スピードアップ促し画面の例を示す図である。図１７において、搬送スピードアップ促し画面４１０は、トータルダンプが未だトータルダンプ保管庫３０１に到着していないことを通知するメッセージ４１２と、入庫を急ぐように促すメッセージ４１４と、この画面を閉じるためのボタン４１６とを有する。
【０１０１】
メッセージ４１２には、図１２のステップＳ８１で取得したトータルダンプ管理ＤＢ１１３の最終レコードのデータ出力時刻を用いて、例えば、「20051128043743に取得したトータルダンプがまだ到着していません。」のようなメッセージが表示される。
【０１０２】
メッセージ４１４には、例えば、「トータルダンプの搬送状況を至急確認し、急がせてください。」のようなメッセージが表示される。
【０１０３】
図１８は、図１２のステップＳ８６で表示されるトータルダンプ取得促し画面の例を示す図である。図１８において、トータルダンプ取得促し画面４２０は、ボリューム記憶領域２００の空き容量が残り少ないことを通知するメッセージ４２２と、トータルダンプを取得するように促すメッセージ４２４と、この画面を閉じるためのボタン４２６とを有する。
【０１０４】
メッセージ４２２には、例えば、「バックアップ先ボリュームの空き容量が残り少なくなってきています。」のようなメッセージが表示される。空き容量の判断は、ボリューム記憶領域２００の実際の空き領域の大きさを判断するのではなく、図１２のステップＳ８５にて時間との比較によるものである。従って、ユーザに経験がなくても、ユーザはトータルダンプの取得のタイミングを知ることができる。
【０１０５】
メッセージ４２４には、例えば、「トータルダンプを至急取得し、発送してください。」のようなメッセージが表示される。
【０１０６】
上述したように、本発明では、遠隔地に備えられたデータの更新ログのバックアップ用記憶領域が満杯になる以前にデータ全体を所定の記憶媒体に格納することが可能となる。
【０１０７】
以上の説明に関し、更に以下の項を開示する。
（付記１）
運用データの更新ログをバックアップし、該運用データを記憶媒体に出力するトータルダンプの取得を行う更新ログバックアップ方法において、コンピュータが、
前記更新ログをバックアップするための複数のボリューム毎に、該更新ログのバックアップの開始時間及び終了時間と、ボリュームの解放状態を示す解放フラグとを管理するボリューム管理データベース（１１１）と、
ネットワークを介して前記トータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手順（１３１、Ｓ５４）と、
を実行することを特徴とする更新ログバックアップ方法。
（付記２）
前記ボリューム管理データベースは、前記複数のボリューム毎に、前記更新ログのバックアップ先として使用されていることを示すバックアップ先フラグを更に管理し、
前記コンピュータが、
前記更新ログを蓄積するログ記憶領域の残量が所定値未満となると、前記ボリューム管理データベースの前記解放フラグが解放済みを示すボリュームの１つに対して未解放に変更し、かつ前記バックアップ先フラグをバックアップ先ボリュームとして設定済みとするバックアップ先設定手順（１３５、Ｓ１４５）と、
前記ボリューム管理データベースの前記バックアップ先フラグが設定済みに設定されているボリュームに対して、ネットワークを介して前記ログ記憶領域に蓄積された更新ログを転送することによって該更新ログをバックアップするバックアップ手順（１２２、Ｓ２２）と
を実行することを特徴とする付記１記載の更新ログバックアップ方法。
（付記３）
前記バックアップ先設定手順（１３５）は、
前記ログ記憶領域への書き込み開始位置を先頭にリセットする手順（Ｓ１４３）と、
前記ボリューム管理データベースの前記バックアップ先ボリュームとして設定済みを示す前記バックアップ先フラグを未設定とするバックアップ先未設定手順（Ｓ１４４）と、
を実行することを特徴とする付記２記載の更新ログバックアップ方法。
（付記４）
前記更新ログのバックアップの開始時間と終了時間とを履歴情報として管理する履歴管理データベース（１１２）を有し、
前記バックアップ先未設定手順（Ｓ１４４）は、更に、前記ボリューム管理データベースの前記バックアップ先フラグが設定済みを示すレコードの開始時間と終了時間とを前記履歴情報として前記履歴データベースへ追加することを特徴とする付記３記載の更新バックアップ方法。
（付記５）
前記更新ログのバックアップの開始時間と終了時間とを履歴情報として管理する履歴管理データベース（１１２）を有し、
前記入庫通知受付手順は、
前記履歴管理データベースに管理されている履歴情報を用いて、１ボリュームにおける更新ログの開始時刻から終了時刻までの更新ログバックアップ平均時間を取得するバックアップ平均時間取得手順（１３２、Ｓ６２）と、
前記ボリューム管理データベースの前記解放フラグが未解放を示すレコード数と前記更新ログバックアップ平均時間とを用いて、ログ記憶領域の残量が使い尽くされるまでの見込み時間を取得する見込時間取得手順（１３２、Ｓ６３）と、
を有することを特徴とする付記１乃至３のいずれか一項記載の更新ログバックアップ方法。
（付記６）
前記トータルダンプを識別するダンプ識別情報に対応させて前記データ出力時間と、前記入庫通知によって示される入庫日時とを管理するダンプ管理データベース（１１３）を更に有し、
前記入庫通知受付手順は、
前記入庫通知によって示されるダンプ識別情報に一致するレコードを前記ダンプ管理データベースから取得して、そのレコードからデータ出力時刻を抽出するデータ出力時刻抽出手順（１３２、Ｓ６１）と、
前記データ出力時刻と前記見込時間とを用いて、前記トータルダンプの記憶媒体の入庫通知を示す画面を表示させる入庫通知表示手順（１３２、Ｓ６４）と、
を有することを特徴とする付記５記載の更新ログバックアップ方法。
（付記７）
前記コンピュータが、
前記ダンプ管理データベースの最終レコードの前記入庫日時が未設定であるか否かを判断する入庫日時未設定判断手順（１３４、Ｓ８２）と、
前記入庫日時未設定判断手順によって前記入庫日時が未設定であると判断された場合、前記複数のボリュームの残量を使い尽くすまでの残量時間が前記トータルダンプの記憶媒体が入庫するまでの入庫所要平均時間より長いか否かを判断する第一入庫所要時間判断手順（１３４、Ｓ８３）と、
前記第一入庫所要時間判断手順によって前記残量時間が前記入庫所要平均時間未満であると判断された場合、前記トータルダンプの記憶媒体の搬送速度を上げて入庫を急ぐように促す画面を表示ユニットに表示させる第一表示手順（１３４、Ｓ８４）とを実行することを特徴とする付記６記載の更新ログバックアップ方法。
（付記８）
前記コンピュータが、
前記ダンプ管理データベースの最終レコードの前記入庫日時が未設定であるか否かを判断する入庫日時未設定判断手順（１３４、Ｓ８２）と、
前記入庫日時未設定判断手順によって前記入庫日時が設定済みであると判断された場合、前記複数のボリュームの残量を使い尽くすまでの残量時間が前記トータルダンプの記憶媒体が入庫するまでの入庫所要平均時間に所定時間加えた時間より長いか否かを判断する第二入庫所要時間判断手順（１３４、Ｓ８５）と、
前記第二入庫所要時間判断手順によって前記残量時間が前記入庫所要平均時間に所定時間加えた時間未満であると判断された場合、前記トータルダンプの取得を行うように促す画面を表示ユニットに表示させる第二表示手順（１３４、Ｓ８６）とを実行することを特徴とする付記６記載の更新ログバックアップ方法。
（付記９）
前記コンピュータが、
前記ダンプ管理データベースの全レコードの前記データ出力時間と前記入庫日時と、レコード数とを用いて前記入庫所要平均時間を算出する入庫所要平均時間算出手順（１３３、Ｓ７１）と、
前記ボリューム管理データベースの前記解放フラグが解放済みを示すレコード数をカウントして解放可能ボリューム数とする解放可能数算出手順（１３３、Ｓ７２）と、
前記履歴管理データベースの全レコードの前記開始時間及び前記終了時間とレコード数とを用いて、１ボリュームにおける更新ログの開始時刻から終了時刻までのバックアップ平均時間を算出するバックアップ平均時間算出手順（１３３、Ｓ７３）と、
前記解放可能ボリューム数と前記バックアップ平均時間とを用いて前記残量時間を算出する残量時間算出手順（１３３、Ｓ７４）と、
を実行することを特徴とする付記７又は８記載の更新ログバックアップ方法。
（付記１０）
前記運用データを前記記憶媒体へ書き込むトータルダンプ手順（１２３、Ｓ３２）と、
前記ダンプ管理データベースに新たなダンプ識別情報を追加設定し、該ダンプ識別情報が設定されたレコードのデータ出力時刻に現在時刻を設定するダンプ識別情報追加手順（１２３、Ｓ３３）と、
前記トータルダンプ手順によって前記運用データが書き込まれた前記記憶媒体の電子タグに前記ダンプ識別情報を含む保管情報を書き込む電子タグ書込手順（１２３、Ｓ３４）と、
を有することを特徴とする付記６記載の更新ログバックアップ方法。
（付記１１）
運用データの更新ログをバックアップし、該運用データを記憶媒体に出力するトータルダンプの取得をコンピュータに行なわせる更新ログバックアッププログラムにおいて、該コンピュータに、
前記更新ログをバックアップするための複数のボリューム毎に、該更新ログのバックアップの開始時間及び終了時間と、ボリュームの解放状態を示す解放フラグとをボリューム管理データベース（１１１）で管理するボリューム管理手順と、
ネットワークを介して前記トータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手順（１３１、Ｓ５４）と、
を実行させることを特徴とする更新ログバックアッププログラム。
（付記１２）
運用データの更新ログをバックアップし、該運用データを記憶媒体に出力するトータルダンプの取得をコンピュータに行なわせる更新ログバックアッププログラムを記憶した記憶媒体において、該コンピュータに、
前記更新ログをバックアップするための複数のボリューム毎に、該更新ログのバックアップの開始時間及び終了時間と、ボリュームの解放状態を示す解放フラグとをボリューム管理データベース（１１１）で管理するボリューム管理手順と、
ネットワークを介して前記トータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手順（１３１、Ｓ５４）と、
を実行させることを特徴とする更新ログバックアッププログラムを記憶した記憶媒体。
（付記１３）
運用データの更新ログをバックアップし、該運用データを記憶媒体に出力するトータルダンプの取得を行う更新ログバックアップ装置において、コンピュータが
前記更新ログをバックアップするための複数のボリューム毎に、該更新ログのバックアップの開始時間及び終了時間と、ボリュームの解放状態を示す解放フラグとを管理するボリューム管理データベース（１１１）と、
ネットワークを介して前記トータルダンプの記憶媒体の保管先から該記憶媒体の入庫通知を受け付けると、前記ボリューム管理データベースにおいて該入庫通知によって示される前記運用データ全体を該記憶媒体へと出力したデータ出力時間より古い終了時刻を示すボリュームに対して前記解放フラグを解放済みに設定する入庫通知受付手段（１３１、Ｓ５４）と、
を有することを特徴とする更新ログバックアップ装置。
【０１０８】
本発明は、具体的に開示された実施例に限定されるものではなく、特許請求の範囲から逸脱することなく、種々の変形や変更が可能である。
【図面の簡単な説明】
【０１０９】
【図１】本発明の一実施例に係るバックアップシステムのネットワーク構成及び機能構成の例を示す図である。
【図２】更新ログバックアップ装置のハードウェア構成を示す図である。
【図３】更新ログバックアップ装置にて常駐させる処理を起動するメインフローを説明するためのフローチャート図である。
【図４】更新ログバックアップ装置でのデータベース操作処理を説明するためのフローチャート図である。
【図５】更新ログバックアップ装置でのバックアップ先設定処理を説明するためのフローチャート図である。
【図６】更新ログバックアップ装置でのバックアップ処理を説明するためのフローチャート図である。
【図７】更新ログバックアップ装置でのトータルダンプ取得処理を説明するためのフローチャート図である。
【図８】トータルダンプ保管システムでのトータルダンプ入庫処理を説明するためのフローチャート図である。
【図９】更新ログバックアップ装置でのトータルダンプ入庫通知受付処理を説明するためのフローチャート図である。
【図１０】更新ログバックアップ装置での解放案内処理を説明するためのフローチャート図である。
【図１１】更新ログバックアップ装置でのバックアップ先残量管理処理を説明するためのフローチャート図である。
【図１２】更新ログバックアップ装置での促し処理を説明するためのフローチャート図である。
【図１３】バックアップボリューム管理ＤＢのデータ構成例を示す図である。
【図１４】バックアップ履歴管理ＤＢのデータ構成例を示す図である。
【図１５】トータルダンプ管理ＤＢのデータ構成例を示す図である。
【図１６】図１０のステップＳ６４で表示されるトータルダンプ入庫通知画面の例を示す図である。
【図１７】図１２のステップＳ８４で表示される搬送スピードアップ促し画面の例を示す図である。
【図１８】図１２のステップＳ８６で表示されるトータルダンプ取得促し画面の例を示す図である。
【符号の説明】
【０１１０】
２            ネットワーク
５１          ＣＰＵ
５２          メモリユニット
５３          表示ユニット
５４          出力ユニット
５５          入力ユニット
５６          通信ユニット
５７          記憶装置
５８          ドライバ
５９          記憶媒体
６０          ダンプドライバ
６１          ダンプ用記憶媒体
６２          タグ書込装置
６３          ＩＣタグ
Ｂ            バス
１００        更新ログバックアップ装置
１０１        ＤＢ運用管理部
１０３        運用プログラム
１０５        運用ＤＢ
１０７        更新ログ蓄積領域
１１１        バックアップボリューム管理ＤＢ
１１２        バックアップ履歴管理ＤＢ
１１３        トータルダンプ管理ＤＢ
１２１        データベース操作処理部
１２２        バックアップ処理部
１２３        トータルダンプ取得処理部
１３１        トータルダンプ入庫通知受付処理部
１３２        解放案内処理部
１３３        バックアップ先残量管理処理部
１３４        促し処理部
１３５        バックアップ先設定処理部
２００        ボリューム記憶領域
３００        トータルダンプ保管システム
３０１        トータルダンプ保管庫
３０５        タグ読取装置
３１０        トータルダンプ入庫処理部
【図１】
2007219756.tif 000003
【図２】
2007219756.tif 000004
【図３】
2007219756.tif 000005
【図４】
2007219756.tif 000006
【図５】
2007219756.tif 000007
【図６】
2007219756.tif 000008
【図７】
2007219756.tif 000009
【図８】
2007219756.tif 000010
【図９】
2007219756.tif 000011
【図１０】
2007219756.tif 000012
【図１１】
2007219756.tif 000013
【図１２】
2007219756.tif 000014
【図１３】
2007219756.tif 000015
【図１４】
2007219756.tif 000016
【図１５】
2007219756.tif 000017
【図１６】
2007219756.tif 000018
【図１７】
2007219756.tif 000019
【図１８】
2007219756.tif 000020